(57)【特許請求の範囲】
【請求項１】
エレベータのメインロープの交換時にそのエレベータの昇降路内でメインロープを把持して固定するロープ把持装置において、
昇降路内に設けられる支持梁と、この支持梁に取り付けられた第１の把持板と、前記支持梁に支持軸を介して前記第１の把持板に対して接離する方向に移動可能に取り付けられた第２の把持板と、これら第１の把持板および第２の把持板にそれぞれ形成された凹溝と、前記第１の把持板に形成された複数のねじ孔と、前記第２の把持板に挿入された前記ねじ孔へのねじ込みが可能な複数の締結ボルトとを具備し、
前記第１の把持板の凹溝と第２の把持板の凹溝とを互いに対向させると共にその両凹溝間にメインロープを配置させ、前記締結ボルトを前記ねじ孔にねじ込んで締め付けることにより前記第１の把持板の凹溝と第２の把持板の凹溝とで前記メインロープを挟着して把持することが可能で、
第２の把持板は支持軸を介して回転可能に支持されていると共に、その回転に応じて第１の把持板の凹溝と対向可能な第１および第２の凹溝を有し、交換する旧のメインロープを把持するときには、第２の把持板の第１の凹溝を第１の把持板の凹溝に対向させてその凹溝間で旧のメインロープを挟着して把持し、交換する新のメインロープを把持するときには、第２の把持板を回転させ、第２の凹溝を第１の把持板の凹溝に対向させてその凹溝間で新のメインロープを挟着して把持することを特徴とするロープ把持装置。
【請求項２】
締結ボルトには第２の把持板に対する抜け止め手段が設けられていることを特徴とする請求項１に記載のロープ把持装置。
【請求項３】
支持軸には支持梁に対する抜け止め手段が設けられていることを特徴とする請求項１または２に記載のロープ把持装置。
【請求項４】
第２の把持板には、第２の凹溝を第１の把持板の凹溝に対向させて新のメインロープを挟着するときに、第１の把持板と第２の把持板との間隔幅を規制してその新のメインロープに対する締め付け圧を規制するスペーサが設けられていることを特徴とする請求項１、２または３に記載のロープ把持装置。
【請求項５】
第１および第２の把持板は、ステンレス鋼、鋼鉄、アルミニウム合金、ウレタン樹脂のうちのいずれかの材料により形成されていることを特徴とする請求項１、２，３または４に記載のロープ把持装置。
【発明の詳細な説明】
【０００１】
【発明の属する技術分野】
この発明は、エレベータのメインロープの交換時にそのエレベータの昇降路内でメインロープを把持して固定するために使用するロープ把持装置に関する。
【０００２】
【従来の技術】
図６にはエレベータのメインロープを交換する作業時の状態を示してあり、１が建屋内に設けられた昇降路で、この昇降路１の上端部に機械室２が設けられ、この機械室２内に巻上機３が設置されている。
【０００３】
巻上機３のシーブ３ａには複数本のメインロープ４が巻き掛けられ、このメインロープ４が昇降路１内に引き下げられ、その一端部に乗りかご５が、他端部にカウンターウエイト６がそれぞれ取り付けられ、これら乗りかご５とカウンターウエイト６とが重量的にほぼ釣り合った状態で巻上機３により乗りかご５が駆動されて昇降路１内で昇降するようになっている。なお、７はメインロープ４を巻上機３からそらすためのそらせ車である。
【０００４】
メインロープ４の交換時には、乗りかご５を昇降路１内の上部に上昇させ、その乗りかご５をチエーンブロック１０を用いて支持するとともに、カウンターウエイト６をピット１１に設置した梁部材１２を介して支持する。また、上昇した乗りかご５とほぼ同じレベルの位置において昇降路１内にロープ把持装置１３を設け、このロープ把持装置１３でメインロープ４の途中を把持して固定する。
【０００５】
そして把持装置１３の直上の部分でメインロープ４を切断するなどして旧のメインロープ４を撤去すると共に、新のメインロープ４ａを巻上機３およびそらせ車７を通して乗りかご５とカウンターウエイト６との間に掛け渡し、新旧のメインロープ４，４ａを交換する。
【０００６】
従来のロープ把持装置１３の構造を図７（Ａ），（Ｂ）に示してあり、１４はカウンターウエイト用のガイドレールで、これらガイドレール１４にそれぞれブラケット１５が締結具１６を介して取り付けられ、これらブラケット１５間に支持梁１７がねじ部材１８を介して水平に取り付けられるようになっている。
【０００７】
そして把持装置１３は、支持梁１７の側面に締結具１９により固定されるロープ固定板２０と、このロープ固定板２０に前記締結具１９および平座金２１、ばね座金２２、ナット２３を介して固定されるロープクリップ２４とを備え、前記ロープ固定板２０とロープクリップ２４とでメインロープ４を挟み、ナット２３を締め付けてそのメインロープ４を強固に把持して固定するようになっている。
【０００８】
【発明が解決しようとする課題】
ところが、このような従来のロープ把持装置１３においては、メインロープ４を把持する際に、締結具１９、平座金２１、ばね座金２２、ナット２３およびロープクリップ２４を個々に独立した部品として取り扱わなければならず、このためメインロープ４を把持する作業が面倒で能率が低下するばかりでなく、その作業中にその細かい各部品を昇降路内下部に落下させて不測の危険を招く恐れがある。
【０００９】
また、メインロープの交換時には、ロープ把持装置１３で旧のメインロープを把持するばかりでなく、新のメインロープを把持するような必要が生じることもあるが、従来のロープ把持装置１３においては、その新旧双方のメインロープを共通の部分で挟着して把持せざるを得ない。
【００１０】
長年使用された旧のメインロープは、新のメインロープに比べその直径が細くなっており、したがってその新旧のメインロープを把持装置１３の共通の部分で同じ条件で締め付けて把持すると、旧のメインロープのときには締め付け圧が適正であっても、新のメインロープのときには締め付け圧が過剰となってその新のメインロープを潰したり損傷させて品質を低下させる恐れがあり、また逆に新のメインロープに対する締め付け圧が適正であったときには、旧のメインロープの締め付け時に締め付け不足が生じ、その旧のメインロープがずれ動いてしまう恐れがある。
【００１１】
この発明はこのような点に着目してなされたもので、その目的とするところは、メインロープを容易に能率よく締め付けて把持することができるとともに、その締め付け用の部品を不用意に落下させるような恐れがないロープ把持装置を提供し、また新旧のメインロープを締め付けて把持するときに、その新旧のメインロープを共に適正な圧力で締め付けることができるロープ把持装置を提供することにある。
【００１２】
【課題を解決するための手段】
請求項１に記載の発明は、エレベータのメインロープの交換時にそのエレベータの昇降路内でメインロープを把持して固定するロープ把持装置において、昇降路内に設けられる支持梁と、この支持梁に取り付けられた第１の把持板と、前記支持梁に支持軸を介して前記第１の把持板に対して接離する方向に移動可能に取り付けられた第２の把持板と、これら第１の把持板および第２の把持板にそれぞれ形成された凹溝と、前記第１の把持板に形成された複数のねじ孔と、前記第２の把持板に挿入された前記ねじ孔へのねじ込みが可能な複数の締結ボルトとを具備し、前記第１の把持板の凹溝と第２の把持板の凹溝とを互いに対向させると共にその両凹溝間にメインロープを配置させ、前記締結ボルトを前記ねじ孔にねじ込んで締め付けることにより前記第１の把持板の凹溝と第２の把持板の凹溝とで前記メインロープを挟着して把持することが可能で、第２の把持板は支持軸を介して回転可能に支持されていると共に、その回転に応じて第１の把持板の凹溝と対向可能な第１および第２の凹溝を有し、交換する旧のメインロープを把持するときには、第２の把持板の第１の凹溝を第１の把持板の凹溝に対向させてその凹溝間で旧のメインロープを挟着して把持し、交換する新のメインロープを把持するときには、第２の把持板を回転させ、第２の凹溝を第１の把持板の凹溝に対向させてその凹溝間で新のメインロープを挟着して把持することを特徴としている。
【００１３】
請求項２に記載の発明は、請求項１の発明において、締結ボルトに第２の把持板に対する抜け止め手段が設けられていることを特徴としている。
【００１４】
請求項３に記載の発明は、請求項１、２の発明において、支持軸に支持梁に対する抜け止め手段が設けられていることを特徴としている。
【００１６】
請求項４に記載の発明は、請求項１、２、３の発明において、第２の把持板に、第２の凹溝を第１の把持板の凹溝に対向させて新のメインロープを挟着するときに、第１の把持板と第２の把持板との間隔幅を規制してその新のメインロープに対する締め付け圧を規制するスペーサが設けられていることを特徴としている。
【００１７】
請求項５に記載の発明は、請求項１、２、３、４の発明において、第１および第２の把持板が、ステンレス鋼、鋼鉄、アルミニウム合金、ウレタン樹脂のうちのいずれかの材料により形成されていることを特徴としている。
【００１８】
【発明の実施の形態】
以下、この発明の実施の形態について図１ないし図５を参照して説明する。
【００１９】
図１ないし図３に示す３０は、昇降路内に設けられたカウンターウエイト用のガイドレールで、これらガイドレール３０の上部にそれぞれブラケット３１が取り付けられている。これらブラケット３１は、図３に示すように、レールクリップ３２を介してガイドレール３０の背面側に取り付けられている。
【００２０】
各レールクリップ３２はボルト３３およびナット３４を介してブラケット３１とガイドレール３０との間に取り付けられている。ブラケット３１には位置調整用の長孔３１ａが形成され、前記ボルト３３がこの長孔３１ａ内に挿入され、ナット３４による締め付けでブラケット３１がガイドレール３０の所定の位置に固定されている。
【００２１】
ブラケット３１間には断面コ字状をなす支持梁３７が水平に架設され、この支持梁３７はボルト３８およびナット３９を介してブラケット３１に固定されている。
【００２２】
支持梁３７の側面には、メインロープを把持する同一構造の把持機構４３がメインロープの本数に応じる数だけその支持梁３７の長手方向に沿って並列するように設けられている。
【００２３】
各把持機構４３は、図４および図５に示すように、それぞれ対をなす第１および第２の把持板４１，４２を有し、これら把持板４１，４２はステンレス鋼、鋼鉄、アルミニウム合金等の金属材料、あるいはウレタン樹脂等の樹脂材料により形成されている。
【００２４】
第１の把持板４１は支持梁３７の側面にボルト４４を介して固定されている。そしてこの第１の把持板４１の四隅部分にそれぞれねじ孔４５が形成され、またこの把持板４１の前面の中間部に上下方向に延びる例えば断面Ｖ形の凹溝４６が形成されている。
【００２５】
第２の把持板４２は、支持軸としての比較的長寸の支持ボルト４７を介して支持梁３７に第１の把持板４１と対向するように取り付けられている。支持軸としての支持ボルト４７は、第２の把持板４２の中心部に取り付けられ、この支持ボルト４７が支持梁３７の側面に形成された貫通孔４８を回転自在にかつ軸方向に移動自在に貫通し、支持梁３７の内側に突出した端部には抜け止め手段としてダブルナット４９が取り付けられている。なお、ボルト４７の頭部４７ａと第２の把持板４２との間にはばね座金５０が設けられている。
【００２６】
第２の把持板４２は、支持ボルト４７の取り付け位置を境とする一方側の領域部分が第１の押圧部４２ａ、他方側の領域部分が第２の押圧部４２ｂとして仮想上区画され、その各押圧部４２ａ，４２ｂのそれぞれの四隅部分に前記第１の把持板４１におけるねじ孔４５に螺合が可能な締結ボルト５１が挿入されている。
【００２７】
各締結ボルト５１は第２の把持板４２の前面側から挿入され、その挿入端側の軸部には抜け止め手段としてワッシャ５２が取り付けられている。
【００２８】
第２の把持板４２における各押圧部４２ａ，４２ｂの内面の中間部には、それぞれ凸部５３が一体に突出形成され、これら凸部５３の突出端面にそれぞれ上下方向に延びる例えば断面Ｖ形の凹溝５３ａ，５３ｂが形成されている。そして、第２の把持板４２の回転に応じて前記凹溝５３ａ，５３ｂが第１の把持板４１の凹溝４６に対向することが可能となっている。
【００２９】
また、第２の把持板４２における第２の押圧部４２ｂの内面には、前記凸部５３を隔てる両側においてそれぞれ一定の厚さのスペーサ５４が取り付けられている。
【００３０】
次に、このロープ把持装置の使用手順について説明する。
メインロープの交換時には、前述の通り、乗りかごを昇降路の上部に上昇させ、その乗りかごをチエーンブロック等を用いて支持するとともに、カウンターウエイトをピットに設置した梁部材を介して支持し、また乗りかごとほぼ同じレベルの位置において、カウンターウエイト用のガイドレール３０にブラケット３１を取り付ける。そして、予め各把持機構４３が組み付けられている支持梁３７を前記ブラケット３１間に掛け渡して固定する。
【００３１】
次に、図５（ａ）および図６に示すように、一つの把持機構４３における第１の把持板４１と第２の把持板４２の第１の押圧部４２ａとの間に、交換すべき旧のメインロープ４のうちの１本を引き入れる。この際、各締結ボルト５１ａはねじ孔４５から外しておき、また第２の把持板４２をボルト４７と一体にその軸方向に移動させて第１の把持板４１と第２の把持板４２との間にメインロープ４の引き込みが可能な余裕の間隔をあけておく。
【００３２】
そして、第１の把持板４１と第２の把持板４２との間にメインロープ４を引き入れた後に、各締結ボルト５１ａをねじ孔４５にねじ込み、かつ均等的に締め付けて第１の把持板４１と第２の把持板４２との凹溝４６，５３ａでメインロープ４を挟着把持して固定する。
【００３３】
長年使用された旧のメインロープ４はその直径が細くなっているが、第１の把持板４１と第２の把持板４２との間にはその締め付けを規制するような部材がなく、したがって締結ボルト５１ａにより両凹溝４６，５３ａ間のメインロープ４を十分に締め付けて強固に固定することができる。
【００３４】
支持梁３７にはメインロープ４の本数に対応する数だけ把持機構４３が設けられているから、残りのメインロープ４も同様の手順でその対応する把持機構４３により挟着把持して固定する。
【００３５】
そして各メインロープ４を把持機構４３の直上部分で切断し、旧のメインロープ４と新のメインロープ４ａとの交換作業を進める。そしてこの交換作業中に新のメインロープ４ａを各把持機構４３で把持する必要が生じたときには、まず図５（ａ）に示す状態から締結ボルト５１ａを緩めてねじ孔４５から外す。
【００３６】
次いで、第２の把持板４２をボルト４７を中心にして１８０°回転させ、図５（ｂ）に示すように、第２の把持板４２の第２の押圧部４２ｂを第１の把持板４１に対向させる。
【００３７】
そしてその第２の把持板４２の第２の押圧部４２ｂと第１の把持板４１との間に、１本の新のメインロープ４ａを引き入れる。この際、第２の把持板４２をボルト４７と一体にその軸方向に移動させて第１の把持板４１との間にメインロープ４ａの引き込みが可能な余裕の間隔をあけておく。
【００３８】
そして第１の把持板４１と第２の把持板４２との間にメインロープ４ａを引き入れた後に、各締結ボルト５１ｂをねじ孔４５にねじ込み、かつ均等的に締め付けてその第１の把持板４１と第２の把持板４２との凹溝４６，５３ｂでメインロープ４ａを挟着把持して固定する。
【００３９】
この際、第２の把持板４２の第２の押圧部４２ｂの内面にはスペーサ５４が取り付けられており、このため締結ボルト５１ｂの締め付けに応じて第２の把持板４２が第１の把持板４１に接近してその間の間隔幅が一定にまで縮まると、スペーサ５４が第１の把持板４１に当接してメインロープ４ａに対する締め付けが規制される。
【００４０】
新のメインロープ４ａは旧のメインロープ４に比べてその直径が太く、したがって旧のメインロープ４と同じ条件で締め付けて挟着すると、その締め付け圧が過剰となって潰れや損傷が生じ、品質が低下する恐れがあるが、上述のように新のメインロープ４ａを把持するときにはスペーサ５４によりその締め付け圧が適正に規制され、このため新のメインロープ４ａの品質を低下させるような恐れがない。
【００４１】
ところで、第１の把持板４１はボルト４４を介して支持梁３７に固定され、第２の把持板４２は支持ボルト４７で支持されていると共にその支持ボルト４７が抜け止め手段としてのダブルナット４９により支持梁３７に対して離脱不能となっており、また各締結ボルト５１ａ，５１ｂが抜け止め用のワッシャ５２により第２の把持板４２に対して離脱不能となっており、このためメインワイヤ４，４ａを把持する作業時やその把持を解く作業時にこれら部品（第１の把持板４１、第２の把持板４２、支持ボルト４７、締結ボルト５１ａ，５１ｂ）を落下させるような危険がなく、またその各部品が予め離脱不能に組み付けられているから、メインワイヤ４，４ａの把持およびその解除の作業も容易に能率よく行なうことができる。
【００４２】
メインロープ４，４ａを把持する把持板４１，４２は、ステンレス鋼、鋼鉄、アルミニウム合金等の金属材料、あるいはウレタン樹脂等の樹脂材料により形成されているから、そのメインロープ４，４ａを安定して把持することができる。
【００４３】
なお、前記実施形態においては、各把持板４１，４２に形成する凹溝４５，５３ａ，５３ｂをＶ字形の溝としたが、アンダーカット形状の溝あるいはメインロープのストランドに対応する形状の溝とするような場合であってよい。
【００４４】
【発明の効果】
以上説明したようにこの発明によれば、メインロープを容易に能率よく締め付けて把持することができるとともに、その締め付け用の部品を不用意に落下させるような恐れがなく、したがって安全にメインロープの交換作業を実施することができる。
【００４５】
また、新旧のメインロープを締め付けて把持するときに、その新旧のメインロープを共に適正な圧力で締め付けてそのずれ動きや損傷を防止することができる。
【図面の簡単な説明】
【図１】この発明の一実施形態に係るロープ把持装置を示す正面図。
【図２】そのロープ把持装置の平面図。
【図３】そのロープ把持装置の側面図。
【図４】そのロープ把持装置の一つの把持機構を拡大して示す平面図。
【図５】その把持機構の正面図。
【図６】エレベータのメインロープを交換するときの状況を示す側面図。
【図７】従来のロープ把持装置の構造を示す斜視図。
【符号の説明】
４，４ａ…メインロープ
３０…ガイドレール
３７…支持梁
４１…第１の把持板
４２…第２の把持板
４３…把持機構
４４…ボルト
４５…ねじ孔
４６…凹溝
４７…支持ボルト（支持軸）
４９…ダブルナット（抜け止め手段）
５１ａ，５１ｂ…締結ボルト
５３ａ，５３ｂ…凹溝
５４…スペーサ
【図１】
0004606621.tif 000002
【図２】
0004606621.tif 000003
【図３】
0004606621.tif 000004
【図４】
0004606621.tif 000005
【図５】
0004606621.tif 000006
【図６】
0004606621.tif 000007
【図７】
0004606621.tif 000008